(57)【要約】      （修正有）【課題】カラオケ歌唱時の演奏テンポを制御するカラオケ演奏システムに関し、カラオケ利用時間が制限されている場合に制限時間内でできるだけ多くの楽曲について楽曲全体を支障なく歌唱させる。【解決手段】演奏予約及び演奏されている楽曲の総ての演奏時間を加算して算出した演奏合計時間がカラオケ利用の設定利用時間に基づく利用可能時間より長いか否かを判定し、短いときには演奏楽曲の全体をデフォルトのテンポで演奏させ、長いときには演奏楽曲のうち、歌唱区間ではデフォルトのテンポで演奏させ、非歌唱区間では当該歌唱区間におけるデフォルトのテンポより速いテンポで演奏させる構成とする。【選択図】図２
2010156783.tif 000002
【特許請求の範囲】
【請求項１】
カラオケ利用に際して利用者による利用時間やカラオケ演奏稼働時間が設定利用時間として設定されるカラオケ演奏システムであって、
演奏時間演算判定手段及びテンポ制御処理手段を有し、
前記演奏時間演算判定手段は、演奏予約及び演奏されている楽曲の総ての演奏時間を加算して演奏合計時間を算出し、当該演奏合計時間が前記設定利用時間に基づく利用可能時間より長いか否かを判定し、
前記テンポ制御処理手段は、上記判定の結果として、短いときには演奏楽曲の全体をデフォルトのテンポで演奏させ、長いときには演奏楽曲のうち、歌唱区間ではデフォルトのテンポで演奏させ、少なくとも後奏以外の非歌唱区間では当該歌唱区間におけるデフォルトのテンポより速いテンポで演奏させる、
ことを特徴とするテンポ制御機能を備えるカラオケ演奏システム。
【請求項２】
請求項１記載のテンポ制御機能を備えるカラオケ演奏システムであって、前記テンポ制御処理手段は、非歌唱区間で前記歌唱区間におけるデフォルトのテンポより速いテンポにより演奏させる場合に、当該非歌唱区間の速いテンポから徐々に歌唱区間への前記テンポへと移行させることを特徴とするテンポ制御機能を備えるカラオケ演奏システム。
【請求項３】
請求項１又は２記載のテンポ制御機能を備えるカラオケ演奏システムであって、前記演奏時間演算判定手段は、予約登録された楽曲が途中で取り消された時に、もしくは、演奏楽曲が演奏中に中止された時に、又は、予約要求楽曲が登録された時に判定処理を行うことを特徴とするテンポ制御機能を備えるカラオケ演奏システム。
【発明の詳細な説明】
【技術分野】
【０００１】
本発明は、カラオケ歌唱時の演奏テンポを制御するカラオケ演奏システムに関する。
【背景技術】
【０００２】
近年、カラオケ店やカラオケボックスでは、利用者による利用時間や閉店などによるカラオケ演奏稼働の時間が定められているなどによりカラオケ利用が時間的に制限される場合がある。このような場合であっても、利用可能時間内でできるだけ多くの楽曲を歌唱できるようにすることが利用者へのサービス向上、利用促進を図ることができる。
【０００３】
従来、利用者による利用時間や閉店などによるカラオケ演奏稼働の時間が定められている場合に、予約された楽曲に対して、例えば、音楽再生装置の使用終了時刻を予め記憶しておき、曲指定情報が入力されたときに、上記使用終了時刻と現時刻との差が、曲指定記憶手段に記憶されている全ての曲について演算された再生するのに要する再生所要時間に当該曲指定情報の曲の再生所要時間を加えた時間より、小さいときにのみ当該指定された曲指定情報の曲指定記憶手段への記憶を禁止することが提案さている（特許文献１）。
【０００４】
また、特許文献１のような機能を備えないカラオケ演奏装置で曲を指定できる場合であっても、例えば、予約した楽曲が演奏しないとすることや、楽曲が複数のコーラス（例えば１番から３番）からなるものについては一部のコーラス（例えば３番のみ）をカットして演奏する場合や、個々の楽曲の演奏時間を短縮するために各楽曲全体の演奏テンポを総じて上げるということも行われている。
【０００５】
【特許文献１】特開平０４−０１４０９８号公報
【発明の開示】
【発明が解決しようとする課題】
【０００６】
しかしながら、上記特許文献１では、指定された曲が再生された場合には音楽再生装置の使用終了時刻を越えることとなるときには当該指定曲が曲指定記憶手段への記憶が禁止されることから、歌唱を欲する利用者にとっては不満が残ることとなる。また、上述のように、せっかく予約したにも拘わらず曲そのものが演奏されないということは他の利用者との関係で不公平となり、さらに、一部のコーラス（例えば３番のみ）をカットして演奏する場合についてはコーラスがきちんと分かれていない曲も多く、総ての楽曲を対象にできるとは限らず、さらにまた、個々の楽曲の演奏時間を短縮するために各楽曲全体の演奏テンポを曲全体に亘って上げてしまうことは歌唱について行けなくなることもあるという問題がある。
【０００７】
そこで、本発明は上記課題に鑑みなされたもので、カラオケ利用時間が制限されている場合に利用可能時間内にできるだけ多くの楽曲について楽曲全体を支障なく歌唱させるテンポ制御機能を備えるカラオケ演奏システムを提供することを目的とする。
【課題を解決するための手段】
【０００８】
上記課題を解決するために、請求項１の発明では、カラオケ利用に際して利用者による利用時間やカラオケ演奏稼働時間が設定利用時間として設定されるカラオケ演奏システムであって、演奏時間演算判定手段及びテンポ制御処理手段を有し、前記演奏時間演算判定手段は、演奏予約及び演奏されている楽曲の総ての演奏時間を加算して演奏合計時間を算出し、当該演奏合計時間が前記設定利用時間に基づく利用可能時間より長いか否かを判定し、前記テンポ制御処理手段は、上記判定の結果として、短いときには演奏楽曲の全体をデフォルトのテンポで演奏させ、長いときには演奏楽曲のうち、歌唱区間ではデフォルトのテンポで演奏させ、少なくとも後奏以外の非歌唱区間では当該歌唱区間におけるデフォルトのテンポより速いテンポで演奏させる、構成とする。
【０００９】
請求項２、３の発明では、「前記テンポ制御処理手段は、非歌唱区間で前記歌唱区間におけるデフォルトのテンポより速いテンポにより演奏させる場合に、当該非歌唱区間の速いテンポから徐々に歌唱区間への前記テンポへと移行させる」構成であり、
「前記演奏時間演算判定手段は、予約登録された楽曲が途中で取り消された時に、もしくは、演奏楽曲が演奏中に中止された時に、又は、予約要求楽曲が登録された時に判定処理を行う」構成である。
【発明の効果】
【００１０】
請求項１の発明によれば、演奏予約及び演奏されている楽曲の総ての演奏時間を加算して算出した演奏合計時間がカラオケ利用の設定利用時間に基づく利用可能時間より長いか否かを判定し、短いときには演奏楽曲の全体をデフォルトのテンポで演奏させ、長いときには演奏楽曲のうち、歌唱区間ではデフォルトのテンポで演奏させ、少なくとも後奏以外の非歌唱区間では当該歌唱区間におけるデフォルトのテンポより速いテンポで演奏させる構成とすることにより、非歌唱区間では速いテンポで演奏させることから、その分、演奏された楽曲の演奏時間が本来の演奏時間より短くなるため、利用可能時間内にできるだけ多くの楽曲について楽曲全体を歌唱させることができ、また、歌唱区間ではデフォルトのテンポで演奏させることから歌唱者の本来の歌唱に何らの支障も与えずに歌唱させることができるものである。
【００１１】
請求項２の発明によれば、非歌唱区間において歌唱区間におけるデフォルトのテンポより速いテンポにより演奏させた場合に、当該非歌唱区間のテンポから徐々に歌唱区間への上記テンポへと移行させることにより、演奏テンポが急変しないため、歌唱区間での歌い出しをスムーズとして歌唱への支障を回避させることができるものである。
【００１２】
請求項３の発明によれば、演奏時間演算判定手段に対し、前記演奏時間演算判定手段は、予約登録された楽曲が途中で取り消された時に、もしくは、演奏楽曲が演奏中に中止された時に、又は、予約要求楽曲が登録された時に判定処理を行わせることにより、利用者による特別な操作を必要とすることなく自動化を図ることができるものである。
【発明を実施するための最良の形態】
【００１３】
以下、本発明の最良の実施形態を図により説明する。
図１に、本発明に係るカラオケ演奏システムのブロック構成図を示す。図１において、カラオケ演奏システム１１は、主要装置としてのカラオケ本体１２に有線又は無線で外部接続されるものとして、表示部１３、ミキシングアンプ１４、マイク１５、スピーカ１６を備える。また、有線又は無線で遠隔入出力端末１７が接続される。
【００１４】
上記表示部１３は、通常の楽曲選曲表示やカラオケ演奏時の映像、歌詞テロップを表示するもので、例えば液晶ディスプレイ（ＬＣＤ）、プラズマディスプレイ（ＰＤＰ）、その他種々のディスプレイを採用することができる。上記ミキシングアンプ１４は、カラオケ本体１２より送られてくる演奏データとマイク１５からの音声信号をミキシングし、増幅してスピーカ１６より出力する。
【００１５】
遠隔入出力端末１７は、図示しない端末送受信部により、カラオケ本体１２に対して有線方式ないし無線方式（ＩＲ方式やブルートゥース（登録商標）機構のピコネット接続方式など）を利用してデータ授受を行うためのもので、楽曲検索選曲手段１８、利用時間設定手段１９及び端末表示部２０を適宜備える。
【００１６】
上記楽曲検索選曲手段１８は、後述するユーザインタフェース機能により利用者に楽曲を検索させ、選曲させるプログラムである。そして、利用者の選曲した楽曲の楽曲ＩＤが後述のＲＡＭ（２４）の予約待ち行列(３３)に登録される。上記利用時間設定手段１９は、利用者が当該システムを利用する時間を設定するプログラムであり、設定された時間は後述のＲＡＭ（２４）の設定利用時間(３４)に記憶される。
【００１７】
上記端末表示部２０は、液晶ディスプレイ（ＬＣＤ）とタッチセンサとを積層して入出力用とし、表示されるアイコン等に対応して当該タッチセンサにより楽曲の選択などのデータを入力することができるＧＵＩのユーザインタフェース機能を有するものである。
【００１８】
上記カラオケ本体１２は、バス２１、中央制御部２２、ＲＯＭ２３、ＲＡＭ２４、記憶部２５、映像再生制御部２６、音楽演奏制御部２７、演奏時間演算判定手段２８、テンポ制御処理手段２９及び送受信部３０を適宜備える。また、上記ＲＡＭ２４には予約待ち行列３３及び設定利用時間３４の記憶領域が形成され、上記記憶部２５には楽曲ＤＢ３１及び映像ＤＢ３２が記憶される。なお、上記各構成について、本発明の要旨と直接関連しない要素部分であっても、従前のカラオケ装置においても大部分が適用可能であることを示すために、装置全体を説明する。
【００１９】
上記中央制御部２２は、このシステムを統括的に処理制御する物理的なＣＰＵであり、ＲＯＭ２３に記憶されているプログラムに基づくアルゴリズム処理を行う。上記ＲＡＭ２４は、上記予約待ち行列３３及び設定利用時間３４の記憶領域が形成されると共に、種々のプログラムを展開、実行させるための作業領域としての役割をなすもので、例えば半導体メモリで構成され、仮想的にハードディスク上に構築される場合をも含む概念である。
【００２０】
上記予約待ち行列３３は、利用者により上記遠隔入出力端末１７の楽曲検索選曲手段１８により選曲された楽曲を順番に登録しておき、順番に演奏させる。また、上記設定利用時間３４は、利用者が上記遠隔入出力端末１７の利用時間設定手段１９により設定したシステム利用の時間を記憶し、また、予め設定される本システムのカラオケ演奏稼働時間を記憶しておくもので、本実施形態では利用者の設定した利用時間を使用して演奏時間演算判定手段２８が判定処理を行う場合として説明する。
【００２１】
上記設定利用時間３４は、例えば中央制御部２２がシステム利用時から減算していき、当該利用可能時間を演奏時間演算判定手段２８において判定処理の一要素とさせる。なお、本実施形態では、カラオケ演奏稼働時間を判定処理の一要素とすることについては説明しないが、設定された利用時間の場合と同様に判定処理の一要素とすることができる。
【００２２】
上記記憶部２５に記憶されている楽曲ＤＢ３１は、楽曲毎に、音符データ及び歌詞データを格納するもので、具体的には、楽曲ＩＤ、曲名及びアーチストＩＤ（アーチスト名）が関連付けられた楽曲テーブルを有し、楽曲毎に、楽曲ＩＤで管理される所定データ形式のカラオケ楽曲の音符データ（例えば、ＭＩＤＩ（登録商標）形式の音符データ）及び歌詞データ（歌詞テロップデータ）が同期されて構成される楽曲データ（ファイル）について楽曲ＩＤをファイル名としてそれぞれ格納したデータベースであり、映像ＤＢ３２に格納された当該楽曲毎の背景映像を表示するための所定数のシーン映像を割り当てる割当データが関連付けられる。なお、演奏に関し、本実施形態では上記歌詞テロップと関係させて歌唱区間と非歌唱区間に区別している（図２で説明する）。上記記憶部２５に記憶されている当該映像ＤＢ３２は、背景映像表示のための所定数のシーン映像データを所定数格納するデータベースである。
【００２３】
上記映像再生制御部２６は、演奏時に、映像ＤＢ３２より抽出された所定数のシーン映像データ及び楽曲コードで楽曲ＤＢ３１より抽出された歌詞テロップデータ（歌詞文字データ）を当該楽曲の音符データに同期させて表示部１３に出力する電子回路である。上記音楽演奏制御部２７は、楽曲コードで楽曲ＤＢ３１より抽出された音符データをデジタル再生し、アナログ変換してミキシングアンプ１４に出力する電子回路である。この音楽演奏制御部２７には、音質を変えずにテンポを変化させる従前の機能を備え、後述のテンポ制御処理手段２９がテンポ制御を行う。
【００２４】
上記演奏時間演算判定手段２８は、上記予約待ち行列３３に基づいて、演奏予約及び演奏されている楽曲の総ての演奏時間（一楽曲の演奏時間は次の演奏楽曲への切り換え時間を含む）を加算して演奏合計時間を算出し、当該演奏合計時間が設定利用時間３４の利用可能時間より長いか否かを判定するプログラムである。この場合、本実施形態では、演奏時間演算判定手段２８において、上記判定を行うと共に、判定結果として過ぎた場合にその超過時間をも演算する機能をも含んでいるものとして説明する。
【００２５】
なお、当該演奏時間演算判定手段２８による判定処理は、例えば、利用者による選曲時点（予約待ち行列３３に登録された時点）、あるいは、利用者による所望の操作の時点、例えば、予約登録された楽曲が途中で取り消されたり、演奏楽曲が演奏中に中止されたりして利用可能時間が変動した時点で行われる。本実施形態では、予約待ち行列３３への楽曲登録時にのみ、自動的に判定処理するものとして説明する。
【００２６】
上記テンポ制御処理手段２９は、上記演奏時間演算判定手段２８による判定の結果として、短いときには予約待ち行列３３に登録されている楽曲の全部に対し、各演奏楽曲の全体をデフォルトのテンポで演奏させ、長いときには演奏楽曲のうち、歌唱区間ではデフォルトのテンポで演奏させ、少なくとも後奏以外の非歌唱区間では当該歌唱区間におけるデフォルトのテンポより速いテンポで演奏させるプログラムである。
【００２７】
上記速いテンポとは、曲本来の演奏速度を速度アップすることで、演奏時間演算判定手段２８で演算した上記超過時間に応じて、すなわち、予約待ち行列３３に登録された全部の楽曲が設定利用時間３４の減算された利用可能時間内に入るように演算処理されたもので、制御するテンポレベル２９Ａに記憶される。このテンポレベル２９Ａには、歌唱区間についてのデフォルトのテンポも記憶される。
【００２８】
なお、他の形態として説明しないが、非歌唱区間において、速くさせるテンポを予め固定的にテンポレベル２９Ａに記憶しておいてもよく、また、例えば遠隔入出力端末１７に別にテンポ設定手段を設けて利用者により任意の操作でテンポレベル２９Ａに記憶しておいてもよい。これらの場合には、上記演奏時間演算判定手段２８において上記超過時間の演算を行わせる必要はない。また、予約登録された楽曲が途中で取り消されたり、演奏楽曲が演奏中に中止されたりして利用可能時間が変動した際、演奏合計時間が利用可能時間より短くなった場合には、上記テンポ制御処理手段２９は、演奏楽曲の全部をデフォルトのテンポに戻して演奏させるように制御する。
【００２９】
上記送受信部３０は、遠隔入出力端末１７との間で有線方式ないし無線方式（ＩＲ方式やブルートゥース（登録商標）機構のピコネット接続方式など）を利用してデータ授受を行うためのもので、そのための電子回路及びプログラムである。
【００３０】
ここで、図２に、本発明のテンポ制御の原理説明図を示す。図２において、楽曲は、歌唱区間と非歌唱区間とに区別される。歌唱区間は歌唱者が実際に声を出して歌う区間であり、非歌唱区間は演奏開始から最初の歌詞歌い出しまでの前段階の前奏、歌唱区間と歌唱区間との間で演奏される間奏、総ての歌唱区間が終了して演奏が終了するまでの後段階の後奏とに分かれる。この歌唱区間と非歌唱区間とは、例えば歌詞テロップが表示されるタイミングで区別することができる。
【００３１】
本発明では、歌唱区間をデフォルトテンポ（曲本来の演奏速度）で演奏させるべくテンポ制御させ、非歌唱区間（前奏、間奏、後奏）をテンポ制御する場合には、当該歌唱区間におけるデフォルトのテンポより速いテンポで演奏させるべくテンポ制御させるものである。これらのテンポは、テンポ制御処理手段２９のテンポレベル２９Ａに基づいて制御される。
【００３２】
また、非歌唱区間でテンポを速く制御させる場合には、当該非歌唱区間の速いテンポから徐々に歌唱区間（例えば、歌詞テロップが表示されるまで）への上記テンポへと移行させる。これにより、歌唱者に対して当該歌唱区間の歌い出しを違和感なくスムーズにさせることができ、非歌唱区間のテンポの影響を回避させることができるものである。なお、非歌唱区間の後奏については、前奏や間奏と同様のテンポで制御してもよく、また、全てカットすることとしてもよい。
【００３３】
そこで、図３に図１のテンポ制御の処理フローチャートを示すと共に、図４に図３のテンポ制御の説明図を示す。図３において、まず、例えば利用者が上記遠隔入出力端末１７の利用時間設定手段１９で設定することによってＲＡＭ２４に記憶された設定利用時間３４に対して例えば中央制御部２２がシステム利用時から減算を開始し（ステップ（Ｓ）１）、減算した値が利用可能時間として特定される。
【００３４】
所定の利用者が上記遠隔入出力端末１７の楽曲検索選曲手段１８により選曲された楽曲がＲＡＭ２４の予約待ち行列３３に登録されたときに（Ｓ２）、演奏時間演算判定手段２８が処理を開始する。ここでは、図４(Ａ)に示すように、既に４曲が登録されていた場合として登録した５番目の楽曲の登録時を処理開始のタイミングとして示している。
【００３５】
演奏時間演算判定手段２８は、上記５番目に登録された楽曲を含めた予約待ち行列３３に基づいて、演奏予約及び演奏されている楽曲の総ての演奏時間を加算演算して演奏合計時間を算出し、当該算出した演奏合計時間と設定利用時間３４に基づく利用可能時間とを比較して当該演奏合計時間が利用可能時間より長いか否かを判定する（Ｓ３）。判定の結果として（Ｓ４）、短い場合には、予約待ち行列３３に登録された総ての楽曲に対し、非歌唱区間を、歌唱区間と同様にデフォルトテンポをテンポレベル２９Ａに記憶する（Ｓ５）。
【００３６】
判定の結果として（Ｓ４）、図４(Ｂ)に示すように、長い場合には、超過時間Ｔｏを算出し、予約待ち行列３３に登録された総ての楽曲に対し、当該超過時間Ｔｏに対応した速さのテンポ、すなわち当該総ての楽曲演奏が利用可能時間内に収まるように、例えば各予約楽曲の非歌唱区間を速くする各曲一律のテンポを算出し、テンポレベル２９Ａに記憶する（Ｓ６）。なお、本実施例では、各曲一律の速いテンポにしているが、すなわち、総ての楽曲の演奏速度のアップ率を同一としているが、本発明はこれに限らず、楽曲毎に演奏速度のアップ率を変更しても構わない。
【００３７】
そして、予約待ち行列３３に登録された楽曲を順次演奏する際に、各楽曲の非歌唱区間を記憶されたテンポレベル２９Ａのテンポで音楽演奏制御部２７を制御して演奏させるものであり（Ｓ７）、その非歌唱区間で速いテンポにより演奏させた場合に、当該非歌唱区間のテンポから徐々に歌唱区間への上記テンポへと移行させるものである。上記Ｓ２〜Ｓ７が、設定利用時間３４が終了するまで繰り返され（Ｓ８）、当該設定利用時間３４が終了すれば、本システムの利用が終了する。
【００３８】
次に、図５に、本発明に係るテンポ制御の他の形態の説明図を示す。図５に示す態様は、図４の処理フローチャートにおけるＳ６の処理の変形例である。上記実施形態では、判定の結果として長い場合に、非歌唱区間のテンポを速くする対象楽曲を予約待ち行列３３に登録された総ての楽曲とする場合を示したが、図５の形態では、非歌唱区間のテンポを速くする対象楽曲を利用可能時間に対して長いこととなった楽曲とした場合である。
【００３９】
すなわち、演奏時間演算判定手段２８における判定の結果として、図５(Ａ)に示すような予約待ち行列３３に直前に登録された楽曲によって利用可能時間を長い場合に、図５(Ｂ)に示すように、超過時間Ｔｏを算出し、当該利用可能時間を長いこととなった楽曲に対してのみ、当該超過時間Ｔｏに対応した速さのテンポ、すなわち当該楽曲の演奏が利用可能時間内に収まるように非歌唱区間を速くするテンポを算出し、テンポレベル２９Ａに記憶するものである。なお、テンポを速くする対象となる非歌唱区間は、一の楽曲につき、総ての区間でも一部の区間でも構わない。
【００４０】
このように、非歌唱区間では演算された超過時間に対応させたテンポで演奏させることから、その分、演奏された楽曲の演奏時間が本来の演奏時間より短くなるため、利用可能時間内にできるだけ多くの楽曲について楽曲全体を歌唱させることができ、また、歌唱区間ではデフォルトのテンポで演奏させることから歌唱者の本来の歌唱に何らの支障も与えずに歌唱させることができるものである。
【００４１】
また、演奏時間演算判定手段２８の処理を、予約登録された楽曲が途中で取り消された時に、もしくは、演奏楽曲が演奏中に中止された時に、又は、予約要求楽曲が登録された時に判定処理を行わせることから、利用者による特別な操作を必要とすることなく自動化を図ることができるものである。
【００４２】
さらに、非歌唱区間で速いテンポにより演奏させた場合に、当該非歌唱区間のテンポから徐々に歌唱区間への上記テンポへと移行させることから、演奏テンポが急変しないため、歌唱区間での歌い出しをスムーズとして歌唱への支障を回避させることができるものである。
【産業上の利用可能性】
【００４３】
本発明のテンポ制御機能を備えるカラオケ演奏システムは、カラオケの基本的機能を備えるカラオケ機器製造の分野に利用可能である。
【図面の簡単な説明】
【００４４】
【図１】本発明に係るカラオケ演奏システムのブロック構成図である。
【図２】本発明のテンポ制御の原理説明図である。
【図３】図１のテンポ制御の処理フローチャートである。
【図４】図３のテンポ制御の説明図である。
【図５】本発明に係るテンポ制御の他の形態の説明図である。
【符号の説明】
【００４５】
１１            カラオケ演奏システム
１２            カラオケ本体
２８            演奏時間演算判定手段
２９            テンポ制御処理手段
３３            予約待ち行列
３４            設定利用時間
【図１】
2010156783.tif 000003
【図２】
2010156783.tif 000004
【図３】
2010156783.tif 000005
【図４】
2010156783.tif 000006
【図５】
2010156783.tif 000007